(57)【要約】【課題】ブラジャーの型崩れや汚損を防止し、省スペースで高品位かつ体裁良くコンパクトに重ね合わせることができ、商品陳列、運搬、保管収納や携行に便利なブラジャーを提供する。【解決手段】左右のカップ部１、１’が分割されており、かつ、フロント中央部で重ね合わせられ、その重ね合わせられた部分をピボットピン２で回転可能に連結されている。【選択図】      図１
2004360114.tif 000002
【特許請求の範囲】
【請求項１】
左右のカップ部が分割されており、かつ、フロント中央部で重ね合わせられ、その重ね合わせられた部分をピボットピンで回転可能に連結されていることを特徴とするブラジャー。
【発明の詳細な説明】
【０００１】
【発明の属する技術分野】
本発明は、型崩れなく高品位かつ体裁良くコンパクトに重ね合わせることができるブラジャーに関するものである。
【０００２】
【従来の技術】
従来、運搬中にブラジャーが型崩れすることを防止する保形具として、女性の胸部の形態に合わせて２つの突出部が形成された板状の本体と、該本体の上縁部にブラジャーの肩掛け紐の係止部を設け、該本体の下縁部両側にブラジャーの下縁部を係止する係止部を設けた保形具が提案されている（例えば、特許文献１参照。）。
また、２つのカップ部を重ね合わせるように折り畳んだ状態のブラジャーのカップ部の形状に合わせて形成した保形具本体と、この保形具本体に装着したブラジャーの離脱を防止する挟持片とを備え、保形具本体の裏面を窪ませ、サイド片、紐等のブラジャーの付属部材を収納する収納部を形成しているものもある（例えば、特許文献２参照。）。
【０００３】
【特許文献１】
特開２００１−１０６２７７号公報
【特許文献２】
特開２００１−２９４２８７号公報
【０００４】
【発明が解決しようとする課題】
しかしながら、特許文献１のものは、１つのブラジャーの左右のカップ部に対応した２つの突出部を形成してブラジャーを展開状態で収納するものであり、保形具自体が大型であり、保管収納スペースも大きくなり、しかも、ブラジャーの各部が保形具の外側に直接露出しているため汚損し易く、さらに、ブラジャーを複数枚重ねて保管収納する場合にもスペースの縮小化が全く図られておらず、全体として、保管収納に不便であり、旅行、スポーツセンター、入浴場等下着を持ち運ぶ必要のあるとき等に極めて不便であるといった問題点があった。
【０００５】
また、特許文献２のものは、１つのブラジャーの２つのカップ部を重ね合わせて収納するものではあるが、この場合、２つのカップ部を中央部で折り畳んで合掌状態とし、その一方のカップ部を他方のカップ部内に押し込むというものであって、押し込んだ方のカップ部は、裏返し状態に変形されるものであり、カップ部の美観や立体形状が崩れるという欠点があり、しかも、上側のカップ部が保形具本体から露出しており、サイド片、紐等のブラジャーの付属部材も外部に露出しているため汚損し易く、保管収納や旅行時の携行にも不便であるといった問題点があった。
【０００６】
本来、ブラジャーは、女性の胸部のシルエットを美しく保持するという使命があり、特に、高級品の場合では、使用者の好みに適合したものが求められるため、型崩れせず、汚損しないように収納できることが強く要求されるもので、特許文献２のものでは、汚損し易い上、型崩れを早める欠点があり、また、特許文献１のものでは、保管収納に不便である等の問題点がある。
そこで、本発明は、上記問題点に鑑み、ブラジャーの型崩れや汚損を防止し、省スペースで高品位かつ体裁良くコンパクトに重ね合わせることができ、保管収納や携行に便利なブラジャーを提供するようにしたものである。
【０００７】
【課題を解決するための手段】
この技術的課題を解決するための本発明のブラジャーは、左右のカップ部が分割されており、かつ、フロント中央部で重ね合わせられ、その重ね合わせられた部分をピボットピンで回転可能に連結されていることを特徴としている。
この構成によれば、ブラジャーの収納時、フロント中央部のピボットピンを中心として重ね合わせ部の上側のカップ部を下側のカップ部に対して半回転させて上下反転状態で上側のカップ部を下側のカップ部に表裏を同一方向に揃えて重ね合わせることができる。特に、左右のカップ部の連結部材を捻じったり、折り曲げたりすることなく、表裏同一方向に揃えて、立体形状のままで、重ね合わせることができ、カップ部の型崩れや汚損を防止し、省スペースで高品位かつ体裁良くコンパクトに重ね合わせることができる。このままで収納保管してもよいが、ケースに入れて収納保管すると、型崩れや汚損を一層よく防止させることができ、いずれにしても、省スペースで高品位かつ体裁良くコンパクトにブラジャーを重ね合わせることができ、商品の陳列、運搬、保管収納や携行に便利なブラジャーを提供することができる。そして、着用時には、上記と逆に半回転させれて左右のカップ部を展開すれば着用することができ、この場合、長期保管してあっても連結部に捻じれぐせや、折り曲げぐせがついていないため着用状態の美観を向上させることができ、しかも、従来のフロントホック方式のブラジャーのように着用時にホックを掛ける手間が省け、また、着用中にフロントホックが外れることもないので、激しい運動をしたり、混雑した電車やバスに乗る場合にも安心である。
【０００８】
【発明の実施の形態】
以下、本発明の実施の形態を図面に基づいて説明する。
図１は、本発明の第１の実施形態を示すブラジャーの要部正面図であって、左右のカップ部１，１’を分割して製作し、両者の連結重合部１ａ、１ａ’を重合代を考慮して延長形成してフロント中央部で重合させ、この連結重合部１ａ、１ａ’の中央部を１点でピボットピン２により回転可能に枢着連結してブラジャー３を構成したものである。
【０００９】
ピボットピン２は、リベット形状や心軸と鞘筒とからなる心鞘型形状の樹脂製のものが好ましいが、ステンレス等の金属製でもよい。例えば、図２に示すように、ピボットピン２は、内側フランジ部２ａの中心部に筒軸２ｂを一体に立設形成し、この筒軸２ｂに嵌合する心軸２ｃを外側フランジ部２ｄの中心部に形成し、前記筒軸２ｂ内に心軸２ｃを嵌合して筒軸２ｂの先端を外側フランジ部２ｄの心軸基部周囲の拡開部２ｅで拡開変形させて外側フランジ部２ｄの笠蓋２ｆ内に係止固着させる構成のものを使用してもよい。
【００１０】
本発明の実施形態は以上の構成からなり、ブラジャー３の収納時、左右のカップ部１、１’の連結重合部１ａ、１ａ’を捻じったり、折り曲げたりすることなく、ピボットピン２を中心として、図１に鎖線で示すように、右側のカップ部１’を半回転させるだけで、他方のカップ部１に上下反転状態ではあるが表裏同一方向に揃えて、立体形状のままで、重ね合わせることができ、カップ部１、１’の型崩れや汚損を防止し、省スペースで高品位かつ体裁良くコンパクトに重ね合わせることができ、そのまま、或いは、ケースに入れて収納保管できる。この場合、サイド片、紐１ｂ等のブラジャー付属部材は、重ね合わせたカップ部１’の背面側凹部に適宜収納するものである。
【００１１】
本発明の実施形態は以上であるが、本発明は、上記実施形態に限定されるものではない。例えば、ピボットピン２は、ブラジャーの外面側となる部分に、花形その他の植物形状や、蝶形その他の動物形状、或いは、種々のデザイン化された装飾形状を施したり、それらの装飾模様状物を取付けてもよい。なお、本発明は、セパレートタイプの水着に同様に適用しても良い。
【００１２】
【発明の効果】
本発明によれば、ブラジャーの型崩れや汚損を防止し、省スペースで高品位かつ体裁良くコンパクトに重ね合わせることができ、商品陳列、運搬、保管収納や携行に便利なブラジャーを提供することが可能となる。
【図面の簡単な説明】
【図１】本発明の第１実施形態のブラジャーの要部正面図である。
【図２】本発明のブラジャーの連結重合部に使用するピボットピンの一例を示す拡大断面略図である。
【符号の説明】
１、１’    カップ部
１ａ、１ａ’  連結重合部
２    ピボットピン
３    ブラジャー
【図１】
2004360114.tif 000003
【図２】
2004360114.tif 000004